(57)【要約】【課題】各歯と各ブラケットとの間において十分な密着力（接着力）を得るとともに歯面とブラケットとの間にう蝕が生じることを回避するブラケット成形テンプレートを提供すること。【解決手段】口内の上側歯列または下側歯列の歯を覆う歯カバー部１１０と、歯カバー部１１０のうちの一部または全部の歯における口内頬側または舌側に凸状に配設されて注入されたレジンによりブラケットを成形するブラケット成形部１２０とを有し、ブラケット成形部１２０が、レジンをブラケット成形部１２０の外部から内部へ注入するための注入孔１２１を有しているブラケット成形テンプレート１００。【選択図】図１
2018102605.tif 000002
【特許請求の範囲】
【請求項１】
患者の口内の上側歯列または下側歯列の歯に装着されて歯列矯正用のブラケットを歯に取り付けるブラケット成形テンプレートであって、
前記口内の上側歯列または下側歯列の歯を覆う歯カバー部と、
前記歯カバー部のうちの一部または全部の歯における口内頬側または舌側に凸状に配設されて注入されたレジンによりブラケットを成形するブラケット成形部とを有し、
前記ブラケット成形部が、前記レジンをブラケット成形部の外部から内部へ注入するための注入孔を有していることを特徴とするブラケット成形テンプレート。
【請求項２】
前記ブラケット成形部が、前記レジンを注入する際にブラケット成形部の内部から外部へ空気を排出するための排出孔を有し、
前記排出孔の径が、前記注入孔の径より小であることを特徴とする請求項１に記載のブラケット成形テンプレート。
【請求項３】
前記歯カバー部が上側歯列の歯を覆うものである場合、前記注入孔が、前記排出孔より上側歯列の歯先側に配設されていることを特徴とする請求項２に記載のブラケット成形テンプレート。
【請求項４】
前記歯カバー部が下側歯列の歯を覆うものである場合、前記注入孔が、前記排出孔より下側歯列の歯茎側に配設されていることを特徴とする請求項２または請求項３に記載のブラケット成形テンプレート。
【請求項５】
前記歯カバー部が下側歯列の歯を覆うものである場合、前記注入孔が、前記排出孔より下側歯列の歯先側に配設されていることを特徴とする請求項２または請求項３に記載のブラケット成形テンプレート。
【請求項６】
前記ブラケット成形テンプレートのうち少なくともブラケット成形部が、光透過素材で形成されていることを特徴とする請求項１乃至請求項５のいずれか１つに記載のブラケット成形テンプレート。
【請求項７】
前記ブラケット成形テンプレートの断面の厚みを薄くする溝が、前記歯カバー部およびブラケット成形部の表面において歯列に沿って各ブラケット成形部を通って形成されていることを特徴とする請求項１乃至請求項６のいずれか１つに記載のブラケット成形テンプレート。
【請求項８】
前記注入孔が、前記内部から外部へ向かって孔の径を大きくするテーパ部分を有していることを特徴とする請求項１乃至請求項７のいずれか１つに記載のブラケット成形テンプレート。
【請求項９】
患者の口内の上側歯列または下側歯列の歯に装着されるマウスピース型矯正装置であって、
前記口内の上側歯列または下側歯列の歯を覆う歯カバー部と、
前記歯カバー部のうち一部の歯における口内頬側および舌側の少なくとも一方に凸状に配設されて注入されたレジンにより矯正力被作用突部を成形する突部成形部とを有し、
前記突部成形部が、前記レジンを突部成形部の外部から内部へ注入するための注入孔を有していることを特徴とするマウスピース型矯正装置。
【発明の詳細な説明】
【技術分野】
【０００１】
本発明は、患者の口内の上側歯列または下側歯列の歯に装着されて歯列矯正用のブラケットを一部または全部の歯に取り付けるブラケット成形テンプレート、および、患者の口内の上側歯列または下側歯列の歯に装着されるマウスピース型矯正装置に関する。
【背景技術】
【０００２】
従来、歯列矯正装具であるブラケットを患者の口内の歯面に取り付けるために、歯型のトレーにブラケットを仮留めし、歯面とブラケットの接着面との両方に接着剤を塗布してからトレーを患者の口内の歯列の歯に装着し、ブラケットを歯に取り付けるトレーが知られている（例えば、特許文献１、２）。
【先行技術文献】
【特許文献】
【０００３】
【特許文献１】特開２０１５−０１３１９６号公報（特に、図９、図１４参照）
【特許文献２】特開２０１４−１８４３３３号公報（特に、図１７参照）
【特許文献３】特表２０１２−５０９１５８号公報（特に、図１Ａ、図１Ｂ、図９Ａ〜図９Ｌ参照）
【発明の概要】
【発明が解決しようとする課題】
【０００４】
しかしながら、上述した従来のトレーは、既製のブラケットを患者の歯面に接着するためのものであって、既製ブラケットの接着面の曲率は、患者の歯面の曲率と異なるため、既製のブラケットと歯面との間に隙間が生じやすい。
さらに、トレーを歯列の歯に装着する際に相対的な移動によって接着剤が擦れて接着剤の位置がずれたり、気泡が入ったりして、ブラケットと歯面との間に隙間が生じる虞があった。
また、ブラケットと歯面との間に隙間が生じると、この隙間が、う蝕（虫歯）の原因となる細菌の発生・増加を助長することになる。
さらに、隙間が生じると、十分な密着力（接着力）を得ることができず、ブラケットが歯面から外れやすくなるという問題があった。
【０００５】
また、歯列の歯に被せるようにして歯列を矯正するマウスピース型矯正装置であるアライナが知られている（例えば、特許文献３）が、アライナの内側における矯正力被作用突部としてのアタッチメントと係合する凹部にレジンを注入してからアライナを歯列の歯に装着して歯面にアタッチメントを接着させていた。
そのため、アライナを歯列の歯に装着した際にレジンが歯面と擦れてレジンの位置がずれたり、気泡が入ったりして、レジンと歯面との間に隙間が生じる虞があった。
また、レジンの量の不足によってアタッチメントを形成するレジンと歯面との間に隙間が生じる虞があった。
ブラケットの場合と同様、アタッチメントと歯面との間に隙間が生じると、この隙間が、う蝕（虫歯）の原因となる細菌の発生・増加を助長することになる。
さらに、隙間が生じると、十分な密着力（接着力）を得ることができず、アタッチメントが歯面から外れやすくなるという問題があった。
【０００６】
そこで、本発明は、前述したような従来技術の問題を解決するものであって、すなわち、本発明の第１の目的は、各歯と各ブラケットとの間において十分な密着力（接着力）を得るとともに歯面とブラケットとの間にう蝕（虫歯）が生じることを回避するブラケット成形テンプレートを提供することである。
また、本発明の第２の目的は、歯と矯正力被作用突部との間において十分な密着力（接着力）を得るとともに歯面と矯正力被作用突部との間にう蝕（虫歯）が生じることを回避するマウスピース型矯正装置を提供することである。
【課題を解決するための手段】
【０００７】
本請求項１に係る発明は、患者の口内の上側歯列または下側歯列の歯に装着されて歯列矯正用のブラケットを歯に取り付けるブラケット成形テンプレートであって、前記口内の上側歯列または下側歯列の歯を覆う歯カバー部と、前記歯カバー部のうちの一部または全部の歯における口内頬側または舌側に凸状に配設されて注入されたレジンによりブラケットを成形するブラケット成形部とを有し、前記ブラケット成形部が、前記レジンをブラケット成形部の外部から内部へ注入するための注入孔を有していることにより、前述した課題を解決するものである。
【０００８】
本請求項２に係る発明は、請求項１に記載されたブラケット成形テンプレートの構成に加えて、前記ブラケット成形部が、前記レジンを注入する際にブラケット成形部の内部から外部へ空気を排出するための排出孔を有し、前記排出孔の径が、前記注入孔の径より小であることにより、前述した課題をさらに解決するものである。
【０００９】
本請求項３に係る発明は、請求項２に記載されたブラケット成形テンプレートの構成に加えて、前記歯カバー部が上側歯列の歯を覆うものである場合、前記注入孔が、前記排出孔より上側歯列の歯先側に配設されていることにより、前述した課題をさらに解決するものである。
【００１０】
本請求項４に係る発明は、請求項２または請求項３に記載されたブラケット成形テンプレートの構成に加えて、前記歯カバー部が下側歯列の歯を覆うものである場合、前記注入孔が、前記排出孔より下側歯列の歯茎側に配設されていることにより、前述した課題をさらに解決するものである。
【００１１】
本請求項５に係る発明は、請求項２または請求項３に記載されたブラケット成形テンプレートの構成に加えて、前記歯カバー部が下側歯列の歯を覆うものである場合、前記注入孔が、前記排出孔より下側歯列の歯先側に配設されていることにより、前述した課題をさらに解決するものである。
【００１２】
本請求項６に係る発明は、請求項１乃至請求項５のいずれか１つに記載されたブラケット成形テンプレートの構成に加えて、前記ブラケット成形テンプレートのうち少なくともブラケット成形部が、光透過素材で形成されていることにより、前述した課題をさらに解決するものである。
【００１３】
本請求項７に係る発明は、請求項１乃至請求項６のいずれか１つに記載されたブラケット成形テンプレートの構成に加えて、前記ブラケット成形テンプレートの断面の厚みを薄くする溝が、前記歯カバー部およびブラケット成形部の表面において歯列に沿って各ブラケット成形部を通って形成されていることにより、前述した課題をさらに解決するものである。
【００１４】
本請求項８に係る発明は、請求項１乃至請求項７のいずれか１つに記載されたブラケット成形テンプレートの構成に加えて、前記注入孔が、前記内部から外部へ向かって孔の径を大きくするテーパ部分を有していることにより、前述した課題をさらに解決するものである。
【００１５】
本請求項９に係る発明は、患者の口内の上側歯列または下側歯列の歯に装着されるマウスピース型矯正装置であって、前記口内の上側歯列または下側歯列の歯を覆う歯カバー部と、前記歯カバー部のうち一部の歯における口内頬側および舌側の少なくとも一方に凸状に配設されて注入されたレジンにより矯正力被作用突部を成形する突部成形部とを有し、前記突部成形部が、前記レジンを突部成形部の外部から内部へ注入するための注入孔を有していることにより、前述した課題を解決するものである。
【発明の効果】
【００１６】
本発明のブラケット成形テンプレートは、患者の口内の上側歯列または下側歯列の歯を覆う歯カバー部を有していることにより、患者の口内の上側歯列または下側歯列の歯に装着することができるばかりでなく、以下のような特有の効果を奏することができる。
【００１７】
本請求項１に係る発明のブラケット成形テンプレートによれば、注入孔からレジンがブラケット成形部の内部に充填されて硬化し、各歯の歯面に対して隙間なくブラケットが固着した状態でブラケットがそれぞれ成形されるため、各歯と各ブラケットとの間において十分な密着力（接着力）を得ることができるとともに歯面とブラケットとの間にう蝕（虫歯）が生じることを回避できる。
つまり、各歯の歯面の曲率や凹凸に対応して隙間なく密着させた状態でブラケットが成形されるため、十分な密着力を得ることができるとともに隙間において発生しやすいう蝕（虫歯）の原因となる細菌の発生・増加を防止することができる。
さらに、各歯が歯カバー部によって覆われて口内の唾液が歯面に付着することが回避されるため、唾液や唾液成分が歯面とブラケットとの間に介在することにより密着力（接着力）が低下してしまうことを回避することができる。
また、レジンによってブラケットが一つ一つ成形されるため、各ブラケットの色を各歯の色に合わせてブラケットが目立たないようにして審美性を高めることができる。
【００１８】
本請求項２に係る発明のブラケット成形テンプレートによれば、請求項１に係る発明が奏する効果に加えて、注入孔を介してレジンがブラケット成形部の内部へ注入することに伴い内部の空気が排出孔を介してスムーズに排出されるため、ブラケット成形部の内部にレジンをスムーズに充填させることができるとともにブラケットに気泡や気泡跡が形成されることを回避することができる。
さらに、排出孔の径が、注入孔の径より小であることにより、ブラケット成形部の内部に充填されたレジンが注入圧により必要以上に排出孔から流出してしまうことを回避できる。
【００１９】
本請求項３に係る発明のブラケット成形テンプレートによれば、請求項２に係る発明が奏する効果に加えて、通常、患者の上側歯列の歯にブラケット成形テンプレートを装着して患者が歯科医師の施術を受けているときは、患者は上半身を多少起こした姿勢であり、空気の比重が一般的にレジンの比重より小さいため、ブラケット成形部の内部の下方から上方へ向かってスムーズにレジンを充填することができる。
さらに、注入孔が、上側歯列の歯先側にあり、注入孔と排出孔との位置関係が逆の場合と比べて、患者の口の外から視認しやすい位置となるため、歯科医師が注入孔を介してレジンをブラケット成形部の内部へ容易に注入することができる。
【００２０】
本請求項４に係る発明のブラケット成形テンプレートによれば、請求項２または請求項３に係る発明が奏する効果に加えて、通常、患者の下側歯列の歯にブラケット成形テンプレートを装着して患者が歯科医師の施術を受けているときは、患者は上半身を多少起こした姿勢であり、空気の比重が一般的にレジンの比重より小さいため、ブラケット成形部の内部の下方から上方へ向かってスムーズにレジンを充填することができる。
【００２１】
本請求項５に係る発明のブラケット成形テンプレートによれば、請求項２または請求項３に係る発明が奏する効果に加えて、注入孔が、下側歯列の歯先側にあり、注入孔と排出孔との位置関係が逆の場合と比べて、患者の口の外から視認しやすい位置となるため、歯科医師が注入孔を介してレジンをブラケット成形部の内部へ容易に注入することができる。
【００２２】
本請求項６に係る発明のブラケット成形テンプレートによれば、請求項１乃至請求項５のいずれか１つに係る発明が奏する効果に加えて、レジンまで光が到達するため、光硬化タイプのレジンを使用して光を照射してレジンを硬化させて容易にブラケットを成形することができる。
【００２３】
本請求項７に係る発明のブラケット成形テンプレートによれば、請求項１乃至請求項６のいずれか１つに係る発明が奏する効果に加えて、レジンによってブラケットを成形した後に、溝に沿ってブラケット成形テンプレートを分断して破壊することによって、分断されたそれぞれのブラケット成形テンプレートがブラケットの半分ほどを覆う状態となるため、ブラケットに対して歯面と平行な方向の外力を付与することなくブラケット成形テンプレートを歯列の歯から容易に取り外すことができる。
【００２４】
本請求項８に係る発明のブラケット成形テンプレートによれば、請求項１乃至請求項７のいずれか１つに係る発明が奏する効果に加えて、通常用いられるレジンインジェクタの先端がテーパ部分に押し当てられたときにレジンインジェクタの先端と注入孔との相対的な位置関係が決まるとともにレジンインジェクタの先端と注入孔とが隙間なく接するため、レジンを漏らさずに容易に注入することができる。
【００２５】
本請求項９に係る発明のマウスピース型矯正装置によれば、注入孔からレジンが突部成形部の内部に充填されて硬化し、歯の歯面に対して隙間なく矯正力被作用突部が固着した状態で所謂、アタッチメントである矯正力被作用突部が成形されるため、歯と矯正力被作用突部との間において十分な密着力（接着力）を得ることができるとともに歯面と矯正力被作用突部との間にう蝕（虫歯）が生じることを回避できる。
さらに、各歯が歯カバー部によって覆われて口内の唾液が歯面に付着することが回避されるため、唾液や唾液成分が歯面と矯正力被作用突部との間に介在することにより密着力（接着力）が低下してしまうことを回避することができる。
【図面の簡単な説明】
【００２６】
【図１】本発明の第１実施例のブラケット成形テンプレートの概略を示す斜視図。
【図２】（Ａ）（Ｂ）はブラケット成形テンプレートを患者の口内に装着した状態を示す図。
【図３】（Ａ）（Ｂ）はレジンを注入しているときの様子を示す図。
【図４】（Ａ）（Ｂ）はブラケット成形部の外部から内部に光を照射しているときの様子を示す図。
【図５】（Ａ）（Ｂ）はブラケット成形テンプレートを分断して取り外している様子を示す図。
【図６】（Ａ）（Ｂ）は成形されたブラケットにワイヤ入りチューブゴムを取り付けた状態を示す図。
【図７】本発明のブラケット成形テンプレートの作成手順を示す図。
【図８】本発明の第２実施例のブラケット成形テンプレートの概略を示す斜視図。
【図９】（Ａ）（Ｂ）はブラケット成形テンプレートを患者の口内に装着してレジンを注入しているときの様子を示す図。
【図１０】本発明の第３実施例のブラケット成形テンプレートの概略を示す斜視図。
【図１１】（Ａ）（Ｂ）はブラケット成形テンプレートを分断して取り外すときの様子を示す図。
【図１２】本発明の第４実施例のマウスピース型矯正装置の概略を示す斜視図。
【発明を実施するための形態】
【００２７】
本発明のブラケット成形テンプレートは、口内の上側歯列または下側歯列の歯を覆う歯カバー部と、歯カバー部のうちの一部または全部の歯における口内頬側または舌側に凸状に配設されて注入されたレジンによりブラケットを成形するブラケット成形部とを有し、ブラケット成形部が、レジンをブラケット成形部の外部から内部へ注入するための注入孔を有していることにより、各歯と各ブラケットとの間において十分な密着力（接着力）を得るとともに歯面とブラケットとの間にう蝕（虫歯）が生じることを回避し、唾液や唾液成分が歯面とブラケットとの間に介在することにより密着力（接着力）が低下してしまうことを回避するものであれば、その具体的な実施態様は、如何なるものであっても構わない。
【００２８】
例えば、ブラケット成形テンプレートの材料は、可撓性を有した樹脂でもよいし、弾性を有したエラストマーでもよい。
さらに、光を透過させない材料でもよいが、紫外線硬化型レジンや光硬化型レジンを硬化させてブラケットを成形する場合には、紫外線硬化型レジンや光硬化型レジンを硬化させるために、紫外線や光を透過させる材料を用いることが望ましい。
【００２９】
また、本発明のマウスピース型矯正装置は、口内の上側歯列または下側歯列の歯を覆う歯カバー部と、歯カバー部のうち一部の歯における口内頬側および舌側の少なくとも一方に凸状に配設されて注入されたレジンにより矯正力被作用突部を成形する突部成形部とを有し、突部成形部が、レジンを突部成形部の外部から内部へ注入するための注入孔を有していることにより、歯と矯正力被作用突部との間において十分な密着力（接着力）を得るとともに歯面と矯正力被作用突部との間にう蝕（虫歯）が生じることを回避し、唾液や唾液成分が歯面と矯正力被作用突部との間に介在することにより密着力（接着力）が低下してしまうことを回避するものであれば、その具体的な実施態様は、如何なるものであっても構わない。
【００３０】
例えば、マウスピース型矯正装置の材料は、歯に対して矯正力を作用させるために可撓性や弾性を有したものであれば、如何なるものであっても構わない。
さらに、光を透過させない材料でもよいが、紫外線硬化型レジンや光硬化型レジンを硬化させて矯正力被作用突部を成形する場合には、紫外線硬化型レジンや光硬化型レジンを硬化させるために、紫外線や光を透過させる材料を用いることが望ましい。
【実施例１】
【００３１】
以下に、本発明の第１実施例であるブラケット成形テンプレート１００について、図１乃至図７に基づいて説明する。
ここで、図１は、本発明の第１実施例のブラケット成形テンプレート１００の概略を示す斜視図であり、図２（Ａ）は、ブラケット成形テンプレート１００を患者の口内に装着した状態を示す正面図であり、図２（Ｂ）は、図２（Ａ）に示す符号２Ｂ−２Ｂで視た断面図であり、図３（Ａ）は、レジンＲＮを注入しているときの様子を示す正面図であり、図３（Ｂ）は、図３（Ａ）に示す符号３Ｂ−３Ｂで視た断面図であり、図４（Ａ）は、ブラケット成形部１２０の外部から内部に光を照射しているときの様子を示す正面図であり、図４（Ｂ）は、図４（Ａ）に示す符号４Ｂ−４Ｂで視た断面図であり、図５（Ａ）は、上側歯列用ブラケット成形テンプレート１００Ａを分断して取り外している様子を示す正面図であり、図５（Ｂ）は、図５（Ａ）に示す符号５Ｂ−５Ｂで視た断面図であり、図６（Ａ）は、成形されたブラケットＢＲにワイヤ入りチューブゴムＴＲを取り付けた状態を示す正面図であり、図６（Ｂ）は、図６（Ａ）に示す符号６Ｂ−６Ｂで視た断面図であり、図７は、本発明のブラケット成形テンプレート１００の作成手順を示す図である。
【００３２】
本発明の第１実施例であるブラケット成形テンプレート１００は、図１乃至図２（Ｂ）に示すように、患者の口内の上側歯列または下側歯列の歯ＴＨに装着されて歯列矯正用のブラケットＢＲを歯ＴＨに取り付けるように構成されている。
なお、図中において、歯列方向を符号ＲＴ、上下方向を符号ＵＤで示す。
本発明のブラケット成形テンプレート１００は、各患者の歯型に合わせて患者毎に制作されるものである。
【００３３】
言い換えると、既製品ではなく、オーダーメイドである。
したがって、ブラケット成形テンプレート１００は、大きな隙間なく上側歯列または下側歯列の歯ＴＨにぴったりと装着される。
ブラケット成形テンプレート１００の製造方法については、後述することにして、先にブラケット成形テンプレート１００の構成および効果について説明する。
【００３４】
本実施例では、上側歯列の歯ＴＨに装着される上側歯列用ブラケット成形テンプレート１００Ａと、下側歯列の歯ＴＨに装着される下側歯列用ブラケット成形テンプレート１００Ｂとがある。
矯正歯科の治療では、上側歯列および下側歯列の両者にブラケットＢＲを取り付けることが多いが、上側歯列および下側歯列の一方のみにブラケットＢＲを取り付ける場合は、上側歯列用ブラケット成形テンプレート１００Ａおよび下側歯列用ブラケット成形テンプレート１００Ｂの一方のみ用いる。
つまり、本発明のブラケット成形テンプレート１００は、上側歯列用ブラケット成形テンプレート１００Ａおよび下側歯列用ブラケット成形テンプレート１００Ｂの組み合わせの場合だけでなく、一方のみの場合でもよい。
【００３５】
上側歯列用ブラケット成形テンプレート１００Ａは、歯カバー部１１０と、ブラケット成形部１２０とを有している。
下側歯列用ブラケット成形テンプレート１００Ｂについては、上側歯列用ブラケット成形テンプレート１００Ａと同様であるので、上側歯列用ブラケット成形テンプレート１００Ａについて詳しく説明することとし、下側歯列用ブラケット成形テンプレート１００Ｂについての詳しい説明は省略する。
【００３６】
このうち、歯カバー部１１０は、口内の上側歯列の歯ＴＨを覆うように形成されている。
また、ブラケット成形部１２０は、一例として、歯カバー部１１０の各歯ＴＨにおける口内頬側に凸状に配設されて注入されたレジンＲＮ（図３（Ｂ）参照）によりブラケットＢＲを成形するように構成されている。
なお、ブラケット成形部１２０を、歯カバー部１１０の各歯ＴＨにおける舌側に凸状に配設してもよい。
【００３７】
さらに、ブラケット成形部１２０が、レジンＲＮをブラケット成形部１２０の外部から内部へ注入するための注入孔１２１を有している。
また、上側歯列用ブラケット成形テンプレート１００Ａは、一例として、光透過素材である透明な樹脂で形成されている。
なお、上側歯列用ブラケット成形テンプレート１００Ａにおいて、少なくともブラケット成形部１２０が、光透過素材であればよい。
さらに、上側歯列用ブラケット成形テンプレート１００Ａの断面の厚みを薄くする溝１３０が、歯カバー部１１０およびブラケット成形部１２０の表面において歯列に沿って各ブラケット成形部１２０を通って形成されている。
【００３８】
矯正歯科医師が、患者の口内の歯面をクリーニングした後にブラケット成形テンプレート１００を歯列の歯ＴＨに装着するので、各歯ＴＨが歯カバー部１１０によって覆われて口内の唾液が歯面に付着することが回避される。
なお、詳しくは後述する取り外し時に、スムーズにブラケット成形テンプレート１００を歯列の歯ＴＨから取り外すために、ブラケット成形テンプレート１００を歯列の歯ＴＨに装着する前に、ブラケット成形部１２０に内側に一例としてワセリンを塗布しておくことが望ましい。
【００３９】
図３（Ａ）および図３（Ｂ）に示すように、矯正歯科医師がレジンインジェクタＩＪの先端を、注入孔１２１の入り口に押し当てて、注入孔１２１を介してレジンＲＮをブラケット成形部１２０の内部へ注入する。
ここで、レジンＲＮとして、マトリクスレジン（resin）と、セラミック粒子などのフィラー（filler）という成分とを有したコンポジットレジンであって、光照射によって硬化する光硬化型レジンを一例として用いる。
【００４０】
この際、注入孔１２１の位置が、ブラケット成形部１２０の端と対向して、注入孔１２１から注入されたレジンＲＮが、ブラケット成形部１２０の内部の端から満たされるため、気泡を溜まりにくくすることができる。
ブラケット成形部１２０の内部の空気は、レジンＲＮの注入による圧力によって押し出されて歯ＴＨとブラケット成形テンプレート１００との間の僅かな隙間から外部へ逃げるため、内部に気泡は溜まりにくい。
【００４１】
そして、ブラケット成形部１２０の内部は、隙間なくレジンＲＮで充填される。
つまり、レジンＲＮは、ブラケット成形部１２０の内部において、歯ＴＨの歯面に沿って充填され、ブラケット成形部１２０の内部でブラケットＢＲが成形される。
なお、各ブラケット成形部１２０に注入孔１２１が設けられており、矯正歯科医師よって、それぞれの注入孔１２１からレジンＲＮが注入されて、それぞれのブラケット成形部１２０の内部においてブラケットＢＲが成形される。
ここで、各ブラケット成形部１２０に注入するレジンＲＮについては、そのレジンＲＮが硬化したときの色を、各歯ＴＨの色に合わせることが望ましい。
また、顎間ゴム（図示せず）を引っかけるための下顎側フックＨＫ１および上顎側フックＨＫ２が、所望の位置に、それぞれブラケットＢＲと一体に成形される（図６（Ａ）参照）。
【００４２】
図４（Ａ）および図４（Ｂ）に示すように、ブラケット成形部１２０の内部がレジンＲＮで充填された状態になると、矯正歯科医師が、光照射器ＬＴを用いてブラケット成形部１２０の外部から内部へ向かって光を照射する。
すると、ブラケット成形部１２０の内部で成形されたブラケットＢＲのレジンＲＮが硬化する。
つまり、歯ＴＨの歯面に対して隙間なくブラケットＢＲが固着した状態となる。
【００４３】
なお、それぞれのブラケット成形部１２０において外部から内部へ向かって光が照射されて、それぞれのブラケット成形部１２０の内部で成形されたブラケットＢＲのレジンＲＮが硬化する。
また、本実施例では、光を照射することにより硬化する光重合型レジンを用いて硬化させたが、複数のペーストを混ぜて化学反応することにより硬化する化学重合型レジンを用いてもよい。
化学重合型レジンを用いた場合、光照射は必要ない。
【００４４】
図５（Ａ）および図５（Ｂ）に示すように、それぞれのブラケット成形部１２０の内部で成形されたブラケットＢＲのレジンＲＮが十分硬化したら、ブラケット成形テンプレート１００を取り外す。
本実施例では、前述したように、上側歯列用ブラケット成形テンプレート１００Ａの断面の厚みを薄くする溝１３０が、歯カバー部１１０およびブラケット成形部１２０の表面において歯列に沿って各ブラケット成形部１２０を通って形成されている。
したがって、矯正歯科医師が、溝１３０に沿って上側歯列用ブラケット成形テンプレート１００Ａをブラケット基準上方側と下方側とに分断することによって、分断された上側歯列用ブラケット成形テンプレート１００Ａのブラケット基準上方側および下方側がブラケットＢＲの半分ほどを覆う状態となる。
【００４５】
その結果、図５（Ｂ）に示すように、成形されたブラケットＢＲの断面形状が、鉤型（フック）のような形状を有していた場合であっても、分断された上側歯列用ブラケット成形テンプレート１００Ａのブラケット基準上方側および下方側を、それぞれ容易に上側歯列の歯ＴＨから取り外すことができる。
なお、上側歯列用ブラケット成形テンプレート１００Ａが可撓性および弾性を有した材料で形成されている場合、分断せずに上側歯列用ブラケット成形テンプレート１００Ａを弾性変形させるとともに撓ませながら、上側歯列の歯ＴＨから取り外すことができるのは言うまでもない。
【００４６】
さらに、前述したように、ブラケット成形部１２０の内側に予めワセリンなどを塗布することにより、ブラケット成形部１２０と、レジンＲＮによって成形されたブラケットＢＲとの間にワセリンなどの層が形成されるため、レジンＲＮが硬化する際に、ブラケット成形部１２０とブラケットＢＲとの接着を防止し、ブラケットＢＲと歯ＴＨとを確実に接着させることができる。
ここで、ブラケット成形部１２０とブラケットＢＲとの接着を防止するために、ブラケット成形テンプレート１００の材料を、ブラケットＢＲの材料となるレジンＲＮに対して接着しにくいものを選ぶようにしてもよい。
また、ブラケット成形部１２０の注入孔１２１の内部で硬化したレジンＲＮによってブラケットＢＲに僅かな突起が形成されるが、ブラケット成形テンプレート１００を歯列の歯ＴＨから取り外した後、この僅かな突起を歯科用タービンで削ってブラケットＢＲの形状を整えるのは言うまでもない。
【００４７】
図６（Ａ）および図６（Ｂ）に示すように、上側歯列用ブラケット成形テンプレート１００Ａおよび下側歯列用ブラケット成形テンプレート１００Ｂをそれぞれ歯列の歯ＴＨから取り外した後、歯面には樹脂製のブラケットＢＲが固着した状態となる。
さらに、前述したように、各ブラケット成形部１２０に注入するレジンＲＮについては、そのレジンＲＮが硬化したときの色を各歯ＴＨの色に合わせることによって、各ブラケットＢＲの色が各歯ＴＨの色と同一または略同一となる。
その結果、ブラケットＢＲが目立たないようにして審美性を高めることができる。
【００４８】
そして、矯正歯科医師は、歯列に沿って各ブラケットＢＲに所謂、アーチワイヤの役割を果たすワイヤ入りチューブゴムＴＲを係合させる。
係合のさせ方は、ブラケットＢＲの形状にもよるが、係合の一例として、ワイヤ入りチューブゴムＴＲの弾性を利用してブラケットＢＲの一対の爪の間または溝にワイヤ入りチューブゴムＴＲを圧入する。
圧入することによって保持力が生じるため、ワイヤ入りチューブゴムＴＲをブラケットＢＲに結びつけるワイヤである所謂、タイワイヤやゴムバンドであるエラスティックを用いる必要がない。
【００４９】
このように、本発明のブラケット成形テンプレート１００を用いることにより、樹脂製のブラケットＢＲが歯面に隙間なく固着した状態で成形される。
さらに、各歯ＴＨが歯カバー部１１０によって覆われて口内の唾液が歯面に付着することが回避される。
また、各ブラケットＢＲの色を各歯ＴＨの色に合わせるとブラケットＢＲが目立たなくなる。
さらに、アーチワイヤの役割を果たすワイヤ入りチューブゴムＴＲを各ブラケットＢＲに係合させることにより、金属が唾液と接触しないため、患者が金属アレルギーをおこす虞がない。
【００５０】
なお、アーチワイヤの役割を果たすワイヤ入りチューブゴムＴＲを用いたが、ワイヤなしのチューブゴムを用いてもよい。
また、公知のアーチワイヤを、タイワイヤやエラスティックを用いてブラケットＢＲと係合させてもよい。
【００５１】
続いて、ブラケット成形テンプレート１００の製造方法について説明する。
図７に示すように、ステップＳ１では、矯正歯科医師が、患者の口内を診察し、レントゲン写真や問診票などを用いて分析・診断する。
矯正歯科医師は、患者の口内の症状に応じて治療計画を立てる。
治療計画には、ブラケットＢＲの種類、歯ＴＨに取り付ける位置、下顎側フックＨＫ１および上顎側フックＨＫ２の位置、顎間ゴムの大きさ、ブラケットＢＲの色、アーチワイヤの役割を果たすワイヤ入りチューブゴムＴＲなどの情報が含まれる。
【００５２】
ステップＳ２では、矯正歯科医師または歯科衛生士が、患者の口内の印象（歯型）を採取する。
採取の仕方については、アルジネート印象材を用いて物理的接触式で採取してもよいし、３Ｄ（三次元）スキャナー端末を用いて非接触式で採取してもよい。
【００５３】
ステップＳ３では、ステップＳ２で採取した印象（歯型）に基づいてデータ化して印象（歯型）の三次元スキャンデータを作成する。
例えば、ステップＳ２において、アルジネート印象材を用いて物理的接触式で印象（歯型）を採取した場合は、これを３Ｄ（三次元）スキャナー端末を用いての三次元スキャンデータを作成してもよいし、歯ＴＨの石膏模型を作成してこの石膏模型を３Ｄ（三次元）スキャナー端末を用いてスキャンして三次元スキャンデータを作成してもよい。
他方、ステップＳ２において、３Ｄ（三次元）スキャナー端末を用いて非接触式で印象（歯型）採取した場合は、そのデータを三次元スキャンデータとしてそのまま用いればよい。
【００５４】
ステップＳ４では、ブラケット成形テンプレート１００の製造者が、ステップＳ１で作成された治療計画のブラケットＢＲの情報をステップＳ３の三次元スキャンデータに付加する。
例えば、上顎側の右１番の歯ＴＨの頬側面または舌側面のどちらにブラケットＢＲを付けるか、ブラケットＢＲのサイズ、歯ＴＨの面におけるブラケットＢＲの位置、歯ＴＨに対するブラケットＢＲの姿勢などの治療計画に基づいた情報を付加する。
【００５５】
ステップＳ５では、ブラケット成形テンプレート１００の製造者がステップＳ４で作成したデータを、矯正歯科医師が、確認する。
確認した結果、もし修正事項があれば、矯正歯科医師が、ブラケット成形テンプレート１００の製造者に修正指示を出し、ブラケット成形テンプレート１００の製造者によって修正されたデータを再度確認する。
修正事項がなければ、矯正歯科医師が、データを承認する。
【００５６】
ステップＳ６では、矯正歯科医師によって承認されたデータに基づいて、ブラケット成形テンプレート１００の製造者が、ブラケット成形テンプレート１００を製造する。
例えば、３Ｄ（三次元）プリンターを用いて、ブラケット成形テンプレート１００を製造する。
なお、歯ＴＨの石膏模型に既製ブラケットを取り付けて、これらに樹脂シートを押し当てるとともに石膏模型側から吸引しながら樹脂シートを熱変形させてブラケット成形テンプレート１００を製造してもよい。
【００５７】
このようにして得られた本発明の第１実施例であるブラケット成形テンプレート１００は、口内の上側歯列または下側歯列の歯ＴＨを覆う歯カバー部１１０と、歯カバー部１１０のうちの一部または全部の歯ＴＨにおける口内頬側または舌側に凸状に配設されて注入されたレジンＲＮによりブラケットＢＲを成形するブラケット成形部１２０とを有し、ブラケット成形部１２０が、レジンＲＮをブラケット成形部１２０の外部から内部へ注入するための注入孔１２１を有していることにより、各歯ＴＨと各ブラケットＢＲとの間において十分な密着力（接着力）を得ることができるとともに歯面とブラケットＢＲとの間にう蝕（虫歯）が生じることを回避でき、唾液や唾液成分が歯面とブラケットＢＲとの間に介在することにより密着力（接着力）が低下してしまうことを回避することができ、各ブラケットＢＲの色を各歯ＴＨの色に合わせてブラケットＢＲが目立たないようにして審美性を高めることができる。
【００５８】
さらに、ブラケット成形テンプレート１００のうち少なくともブラケット成形部１２０が、光透過素材で形成されていることにより、光硬化タイプのレジンＲＮを使用して光を照射してレジンＲＮを硬化させて容易にブラケットＢＲを成形することができる。
【００５９】
また、ブラケット成形テンプレート１００の断面の厚みを薄くする溝１３０が、歯カバー部１１０およびブラケット成形部１２０の表面において歯列に沿って各ブラケット成形部１２０を通って形成されていることにより、溝１３０に沿ってブラケット成形テンプレート１００を分断して破壊することによって、分断されたそれぞれのブラケット成形テンプレート１００がブラケットＢＲの半分ほどを覆う状態となるため、ブラケットＢＲに対して歯面と平行な方向の外力を付与することなくブラケット成形テンプレート１００を歯列の歯ＴＨから容易に取り外すことができるなど、その効果は甚大である。
【実施例２】
【００６０】
続いて、本発明の第２実施例であるブラケット成形テンプレート２００について、図８乃至図９（Ｂ）に基づいて説明する。
ここで、図８は、本発明の第２実施例のブラケット成形テンプレート２００の概略を示す斜視図であり、図９（Ａ）は、ブラケット成形テンプレート２００を患者の口内に装着してレジンＲＮを注入しているときの様子を示す正面図であり、図９（Ｂ）は、図９（Ａ）に示す符号９Ｂ−９Ｂで視た上側歯列側のみの要部断面図である。
【００６１】
第２実施例のブラケット成形テンプレート２００は、第１実施例のブラケット成形テンプレート１００のブラケット成形部１２０に排出孔を設けるとともに注入孔１２１にテーパ部分を設けたものであり、多くの要素について第１実施例のブラケット成形テンプレート１００と共通するので、共通する事項については詳しい説明を省略し、下２桁が共通する２００番台の符号を付すのみとする。
【００６２】
本発明の第２実施例であるブラケット成形テンプレート２００は、図８乃至図９（Ｂ）に示すように、ブラケット成形部２２０に、レジンＲＮを注入する際にブラケット成形部２２０の内部から外部へ空気を排出するための排出孔２２２を有している。
これにより、注入孔２２１を介してレジンＲＮがブラケット成形部２２０の内部へ注入することに伴い内部の空気が排出孔２２２を介してスムーズに排出される。
さらに、排出孔２２２の径が、注入孔２２１の径より小である。
【００６３】
これにより、ブラケット成形部２２０の内部に充填されたレジンＲＮは排出孔２２２から排出されにくくなりブラケット成形部２２０の内部の空気のみが排出されやすくなる。
その結果、ブラケット成形部２２０の内部に充填されたレジンＲＮが注入圧によって必要以上に排出孔２２２から流出してしまうことが回避される。
なお、排出孔２２２の内部において硬化したレジンＲＮについては、注入孔２２１の内部において硬化したレジンＲＮと同様、ブラケット成形テンプレート２００を歯列の歯ＴＨから取り外した後、突起となった箇所を歯科用タービンで削ればよい。
【００６４】
また、本実施例では、注入孔２２１が、ブラケット成形部２２０の内部から外部へ向かって孔の径を大きくするテーパ部分２２１ａを有している。
そして、テーパ部分２２１ａの径が最も大となる箇所は、通常用いられるレジンインジェクタＩＪの先端の径より大となっている。
これにより、通常用いられるレジンインジェクタＩＪの先端がテーパ部分２２１ａに押し当てられたときにレジンインジェクタＩＪの先端と注入孔２２１との相対的な位置関係が決まるとともにレジンインジェクタＩＪの先端と注入孔２２１とが隙間なく接する。
その結果、矯正歯科医師は、レジンＲＮを漏らさずに容易に注入することができる。
【００６５】
さらに、本実施例の上側歯列用ブラケット成形テンプレート２００Ａにおいて、注入孔２２１が、排出孔２２２より上側歯列の歯先側に配設されている。
これにより、通常、患者の上側歯列の歯ＴＨに上側歯列用ブラケット成形テンプレート２００Ａを装着して患者が歯科医師の施術を受けているときは、患者は上半身を多少起こした姿勢であり、空気の比重が一般的にレジンＲＮの比重より小さく、ブラケット成形部２２０の内部の下方から上方へ向かってスムーズにレジンＲＮが充填される。
さらに、注入孔２２１が、上側歯列の歯先側にあり、注入孔２２１と排出孔２２２との位置関係が逆の場合と比べて、患者の口の外から視認しやすい位置となる。
その結果、矯正歯科医師が注入孔２２１を介してレジンＲＮをブラケット成形部２２０の内部へ容易に注入することができる。
【００６６】
また、本実施例の下側歯列用ブラケット成形テンプレート２００Ｂにおいて、注入孔２２１が、排出孔２２２より下側歯列の歯先側に配設されている。
これにより、注入孔２２１が、下側歯列の歯先側にあり、注入孔２２１と排出孔２２２との位置関係が逆の場合と比べて、患者の口の外から視認しやすい位置となる。
その結果、矯正歯科医師が注入孔２２１を介してレジンＲＮをブラケット成形部２２０の内部へ容易に注入することができる。
【００６７】
なお、下側歯列用ブラケット成形テンプレート２００Ｂにおいて、注入孔２２１を、排出孔２２２より下側歯列の歯茎側に配設してもよい。
これにより、通常、患者の下側歯列の歯ＴＨに下側歯列用ブラケット成形テンプレート２００Ｂを装着して患者が歯科医師の施術を受けているときは、患者は上半身を多少起こした姿勢であり、空気の比重が一般的にレジンＲＮの比重より小さく、ブラケット成形部２２０の内部の下方から上方へ向かってスムーズにレジンＲＮが充填される。
【００６８】
注入孔２２１と排出孔２２２との位置関係は、正面から視て、一方がブラケットＢＲの端部と対向し、他方がブラケットＢＲの中心を基準とした一方と反対側の端部と対向した関係となることが望ましい。
さらに、注入孔２２１が、ブラケット成形部２２０の頂部側（歯面から遠い側）に位置し、排出孔２２２が、ブラケット成形部２２０の基部側（歯面に近い側）に位置することが望ましい。
レジンＲＮを注入する際にブラケット成形部２２０の内部にあった空気をスムーズに排出孔２２２から排出させて、歯面とブラケットＢＲとの間の隙間をより確実に無くすことができるからである。
【００６９】
このようにして得られた本発明の第２実施例であるブラケット成形テンプレート２００は、ブラケット成形部２２０が、レジンＲＮを注入する際にブラケット成形部２２０の内部から外部へ空気を排出するための排出孔２２２を有し、排出孔２２２の径が、注入孔２２１の径より小であることにより、ブラケット成形部２２０の内部にレジンＲＮをスムーズに充填させることができるとともにブラケットＢＲに気泡や気泡跡が形成されることを回避することができるとともに、ブラケット成形部２２０の内部に充填されたレジンＲＮが注入圧により必要以上に排出孔２２２から流出してしまうことを回避できる。
【００７０】
さらに、上側歯列用ブラケット成形テンプレート２００Ａである場合、注入孔２２１が、排出孔２２２より上側歯列の歯先側に配設されていることにより、ブラケット成形部２２０の内部の下方から上方へ向かってスムーズにレジンＲＮを充填することができるとともに、矯正歯科医師が注入孔２２１を介してレジンＲＮをブラケット成形部２２０の内部へ容易に注入することができる。
【００７１】
また、下側歯列用ブラケット成形テンプレート２００Ｂである場合、注入孔２２１が、排出孔２２２より下側歯列の歯先側に配設されていることにより、矯正歯科医師が注入孔２２１を介してレジンＲＮをブラケット成形部２２０の内部へ容易に注入することができるなど、その効果は甚大である。
【実施例３】
【００７２】
続いて、本発明の第３実施例であるブラケット成形テンプレート３００について、図１０乃至図１１（Ｂ）に基づいて説明する。
ここで、図１０は、本発明の第３実施例のブラケット成形テンプレート３００の概略を示す斜視図であり、図１１（Ａ）は、上側歯列の歯ＴＨに装着された上側歯列用ブラケット成形テンプレート３００Ａの一部を分断したときの様子を示す要部拡大斜視図であり、図１１（Ｂ）は、図１１（Ａ）の後に上側歯列用ブラケット成形テンプレート３００Ａの別の箇所を分断して上側歯列用ブラケット成形テンプレート３００Ａの一部を取り外すときの様子を示す要部拡大斜視図である。
【００７３】
第３実施例のブラケット成形テンプレート３００は、第２実施例のブラケット成形テンプレート２００のブラケット成形部２２０の内部の形状を変更するとともに溝２３０の位置を変更したものであり、多くの要素について第１実施例のブラケット成形テンプレート１００および第２実施例のブラケット成形テンプレート２００と共通するので、共通する事項については詳しい説明を省略し、下２桁が共通する３００番台の符号を付すのみとする。
【００７４】
本発明の第３実施例であるブラケット成形テンプレート３００は、図１０乃至図１１（Ｂ）に示すように、歯列に沿った貫通孔を有するブラケットＢＲ’を成形するように構成されている。
さらに、ブラケット成形テンプレート３００の厚みを薄くする第１の溝３３１が、隣り合うブラケット成形部３２０の間に２本、歯ＴＨの頬側面において歯茎側から歯先まで延設され、折り返して歯ＴＨの舌側面において歯先から歯茎側まで延設されている。
【００７５】
なお、第１の溝３３１に沿って、ミシン目のように破断線状に切れ込みを設けて第１の溝３３１に沿ってより容易に分断しやすくしてもよい。
また、ブラケット成形テンプレート３００の厚みを薄くする第２の溝３３２が、歯ＴＨの頬側面において歯茎側からブラケット成形部３２０を通って歯先まで延設され、折り返して歯ＴＨの舌側面において歯先から歯茎側まで延設されている。
【００７６】
上側歯列用ブラケット成形テンプレート３００Ａを上側歯列の歯ＴＨに装着し、下側歯列用ブラケット成形テンプレート３００Ｂを下側歯列の歯ＴＨに装着し、レジンＲＮをそれぞれブラケット成形部３２０の内部に充填した後、レジンＲＮを硬化させる手順については、第１実施例および第２実施例と同様であるので、その詳しい説明は、省略する。
そして、上側歯列用ブラケット成形テンプレート３００Ａを歯列の歯ＴＨから取り外す際、図１１（Ａ）に示すように、上側歯列用ブラケット成形テンプレート３００Ａを２本の第１の溝３３１の箇所で分断して、隣り合うブラケット成形部３２０の間の部分を歯列の歯ＴＨから取り外す。
【００７７】
次に、図１１（Ｂ）に示すように、上側歯列用ブラケット成形テンプレート３００Ａを第２の溝３３２の箇所で分断して、図１１（Ａ）で取り外した箇所が空いているので、ブラケットＢＲ’の貫通孔の方向（歯列の方向）に沿って、図１１（Ａ）で取り外した箇所側へ移動させながら上側歯列用ブラケット成形テンプレート３００Ａの一部を歯列の歯ＴＨから取り外す。
このようにして、ブラケットＢＲ’が歯列方向ＲＴに貫通孔を有している構成であっても、ブラケット成形テンプレート３００を歯列の歯ＴＨから取り外すことができる。
なお、ブラケットＢＲ’の貫通孔内部において、ブラケット成形部３２０が歯列方向ＲＴで区切れた状態で互いに接するようにブラケット成形テンプレート３００を作成してもよい。
ブラケットＢＲ’の貫通孔内部において、ブラケット成形部３２０が歯列方向ＲＴで区切れた状態で互いに接していると、図１１（Ｂ）に示す矢印のように移動させながら上側歯列用ブラケット成形テンプレート３００Ａの一部を歯列の歯ＴＨから取り外すときに、ブラケットＢＲ’の貫通孔内部においてブラケット成形部３２０を破壊する必要がなくなり、容易に取り外すことができる。
【００７８】
ブラケットＢＲ’が成形されてブラケット成形テンプレート３００が歯列の歯ＴＨから取り外された後に、この貫通孔には、ワイヤ入りチューブゴムＴＲまたはワイヤ無しチューブゴムが挿通される。
つまり、歯列方向ＲＴの貫通孔を設けることにより、ブラケットＢＲ’の表面に従来設けられていた一対の爪や溝を無くしてブラケットＢＲ’の表面の形状をシンプルにして、患者の口内において、ブラケットＢＲ’が頬内側と接触して頬内側を傷つけてしまう虞を著しく低減することができる。
なお、本実施例において、ブラケット成形部３２０を歯ＴＨの頬側面に設けたが、歯ＴＨの舌側面でもよいのは言うまでもない。
また、ブラケット成形部自体によってブラケットＢＲ’の貫通孔を形成したが、ブラケット成形部３２０における歯列方向両側に穴を設けて、これらの穴にワイヤ入りチューブゴムＴＲと同じ径の貫通孔形成用ワイヤを入れてからレジンＲＮをそれぞれブラケット成形部３２０の内部に充填して硬化させ、その後に貫通孔形成用ワイヤを穴から抜いてブラケットＢＲ’の貫通孔を形成してもよい。
【実施例４】
【００７９】
続いて、本発明の第４実施例であるマウスピース型矯正装置４００について、図１２に基づいて説明する。
ここで、図１２は、本発明の第４実施例のマウスピース型矯正装置４００の概略を示す斜視図である。
【００８０】
本発明の第４実施例であるマウスピース型矯正装置４００は、アライナとも呼ばれ、図１２に示すように、患者の口内の上側歯列または下側歯列の歯ＴＨに装着されるように構成されている。
本発明のマウスピース型矯正装置４００は、各患者の歯型に合わせて患者毎に制作されるものである。
言い換えると、既製品ではなく、オーダーメイドである。
【００８１】
したがって、マウスピース型矯正装置４００は、大きな隙間なく上側歯列または下側歯列の歯にぴったりと装着される。
マウスピース型矯正装置４００の製造方法については、前述した第１実施例のブラケット成形テンプレート１００の製造方法と略同様である。
異なる点は、三次元スキャンデータに対して、歪んだ歯列の歯ＴＨを所望の位置や姿勢に近づく側へ少し移動させた状態に変更するとともに、リトラクション用アタッチメントやアンカレッジ用アタッチメントやルートコントロール用アタッチメントや過蓋咬合用アタッチメントである矯正力被作用突部ＰＣのデータを付加してマウスピース型矯正装置４００を製造することである。
【００８２】
本実施例では、上側歯列の歯ＴＨに装着される上側歯列用アライナ４００Ａと、下側歯列の歯ＴＨに装着される下側歯列用アライナ４００Ｂとがある。
矯正歯科の治療では、上側歯列および下側歯列の両者を矯正することが多いが、上側歯列および下側歯列の一方のみを矯正する場合は、上側歯列用アライナ４００Ａおよび下側歯列用アライナ４００Ｂの一方のみ用いる。
【００８３】
上側歯列用アライナ４００Ａは、歯カバー部４１０と、突部成形部４５０とを有している。
下側歯列用アライナ４００Ｂについては、上側歯列用アライナ４００Ａと同様であるので、上側歯列用アライナ４００Ａについて詳しく説明することとし、下側歯列用アライナ４００Ｂについての詳しい説明は省略する。
【００８４】
このうち、歯カバー部４１０は、口内の上側歯列の歯ＴＨを覆うとともに歪んだ歯列の歯ＴＨを所望の位置や姿勢に移動させるように歯ＴＨに対して矯正力を作用させるように形成されている。
また、突部成形部４５０は、一例として、歯カバー部４１０のうち一部の歯ＴＨにおける口内頬側に凸状に配設されて注入されたレジンＲＮにより矯正力被作用突部ＰＣを成形するように構成されている。
なお、突部成形部４５０を、歯カバー部４１０における舌側に凸状に配設してもよい。
【００８５】
さらに、突部成形部４５０が、レジンＲＮを突部成形部４５０の外部から内部へ注入するための注入孔４５１を有している。
また、上側歯列用アライナ４００Ａは、一例として、光透過素材である透明な樹脂で形成されている。
なお、上側歯列用アライナ４００Ａにおいて、少なくとも突部成形部４５０が、光透過素材であればよい。
【００８６】
矯正歯科医師が、患者の口内の歯面をクリーニングした後にマウスピース型矯正装置４００を歯列の歯ＴＨに装着するので、各歯ＴＨが歯カバー部４１０によって覆われて口内の唾液が歯面に付着することが回避される。
なお、スムーズにマウスピース型矯正装置４００を歯列の歯ＴＨから取り外すために、マウスピース型矯正装置４００を歯列の歯ＴＨに装着する前に、突部成形部４５０に内側に一例としてワセリンを塗布しておくことが望ましい。
【００８７】
そして、前述した第１実施例と同様、矯正歯科医師がレジンインジェクタＩＪの先端を、注入孔４５１の入り口に押し当てて、注入孔４５１を介してレジンＲＮを突部成形部４５０の内部へ注入する。
すると、突部成形部４５０の内部は、隙間なくレジンＲＮで充填される。
つまり、レジンＲＮは、突部成形部４５０の内部において、歯ＴＨの歯面に沿って充填され、突部成形部４５０の内部で矯正力被作用突部ＰＣが成形される。
その後、矯正歯科医師が、光照射器ＬＴを用いて突部成形部４５０の外部から内部へ向かって光を照射する。
すると、突部成形部４５０の内部で成形された矯正力被作用突部ＰＣのレジンＲＮが硬化する。
つまり、歯ＴＨの歯面に対して隙間なく矯正力被作用突部ＰＣが固着した状態となる。
【００８８】
なお、本実施例では、光を照射することにより硬化する光重合型レジンを用いて硬化させたが、複数のペーストを混ぜて化学反応することにより硬化する化学重合型レジンを用いてもよい。
化学重合型レジンを用いた場合、光照射は必要ない。
また、注入孔４５１において硬化したレジンＲＮは、矯正力被作用突部ＰＣにおいて僅かな突起となるが、歯科用タービンでこの僅かな突起を削って矯正力被作用突部ＰＣの形を整えればよい。
さらに、前述した第２実施例と同様、突部成形部４５０に排出孔を設けてもよいし、注入孔４５１にテーパ部分を設けてもよいのは言うまでもない。
この場合、排出孔と注入孔との位置関係についても前述した第２実施例と同様である。
【００８９】
このようにして得られた本発明の第４実施例であるマウスピース型矯正装置４００は、口内の上側歯列または下側歯列の歯ＴＨを覆う歯カバー部４１０と、歯カバー部４１０のうち一部の歯ＴＨにおける口内頬側および舌側の少なくとも一方に凸状に配設されて注入されたレジンＲＮにより矯正力被作用突部ＰＣを成形する突部成形部４５０とを有し、突部成形部４５０が、レジンＲＮを突部成形部４５０の外部から内部へ注入するための注入孔４５１を有していることにより、歯ＴＨと矯正力被作用突部ＰＣとの間において十分な密着力（接着力）を得ることができるとともに歯面と矯正力被作用突部ＰＣとの間にう蝕（虫歯）が生じることを回避でき、さらに、唾液や唾液成分が歯面と矯正力被作用突部ＰＣとの間に介在することによって密着力（接着力）が低下してしまうことを回避することができるなど、その効果は甚大である。
【符号の説明】
【００９０】
１００、  ２００、  ３００            ・・・ブラケット成形テンプレート
１００Ａ、２００Ａ、３００Ａ          ・・・上側歯列用ブラケット成形テンプレート
１００Ｂ、２００Ｂ、３００Ｂ          ・・・下側歯列用ブラケット成形テンプレート
４００  ・・・マウスピース型矯正装置
４００Ａ・・・上側歯列用アライナ
４００Ｂ・・・下側歯列用アライナ
１１０、  ２１０、  ３１０、  ４１０  ・・・歯カバー部
１２０、  ２２０、  ３２０            ・・・ブラケット成形部
１２１、  ２２１、  ３２１            ・・・注入孔
２２１ａ、３２１ａ          ・・・テーパ部分
２２２、  ３２２            ・・・排出孔
１３０、  ２３０                      ・・・溝
３３１            ・・・第１の溝
３３２            ・・・第２の溝
４５０  ・・・突部成形部
４５１  ・・・注入孔
ＴＲ  ・・・  ワイヤ入りチューブゴム
ＴＨ  ・・・  歯
ＢＲ  ・・・  ブラケット
ＨＫ１・・・  下顎側フック
ＨＫ２・・・  上顎側フック
ＩＪ  ・・・  レジンインジェクタ
ＲＮ  ・・・  レジン
ＬＴ  ・・・  光照射器
ＰＣ  ・・・  矯正力被作用突部
ＲＴ  ・・・  歯列方向
ＵＤ  ・・・  上下方向
【図１】
2018102605.tif 000003
【図２】
2018102605.tif 000004
【図３】
2018102605.tif 000005
【図４】
2018102605.tif 000006
【図５】
2018102605.tif 000007
【図６】
2018102605.tif 000008
【図７】
2018102605.tif 000009
【図８】
2018102605.tif 000010
【図９】
2018102605.tif 000011
【図１０】
2018102605.tif 000012
【図１１】
2018102605.tif 000013
【図１２】
2018102605.tif 000014